(57)【特許請求の範囲】
【請求項１】
窓枠、天井又は壁に取付けられ遮蔽体を保持する保持部材と、前記保持部材に設けられ駆動軸を回転駆動することにより前記遮蔽体を昇降させる電動モータと、前記電動モータの駆動軸を正転又は逆転させるために操作される昇降ボタンを有する操作スイッチと、この操作スイッチの昇降ボタンの操作に基づいて前記電動モータを制御することにより前記遮蔽体を昇降させて前記遮蔽体下端の高さを変更可能なコントローラとを備えた電動日射遮蔽装置において、
前記電動モータがその駆動軸の回転角度をパルス信号の数として検出するロータリエンコーダを有し、
前記コントローラに設けられたメモリが前記遮蔽体下端の複数段の段階的な各高さ位置に対応する前記電動モータの駆動軸の各回転角度を前記ロータリエンコーダの検出する各パルス信号の数としてそれぞれ記憶し、
前記操作スイッチに前記遮蔽体下端の複数段の高さ位置のいずれかを選択可能な高さ位置選択ボタンが設けられ、
前記コントローラが、前記高さ位置選択ボタンにより選択された前記遮蔽体下端の高さ位置と、前記メモリに記憶され前記高さ位置選択ボタンの選択位置に対応する前記ロータリエンコーダのパルス信号の数と、前記電動モータの回転により前記ロータリエンコーダの検出するパルス信号の数とに基づいて、前記電動モータを制御することにより、前記遮蔽体を昇降させて前記遮蔽体下端の高さ位置を前記高さ位置選択ボタンにより選択された高さ位置で停止させるように構成され、
前記遮蔽体下端が所定の高さ位置に停止した状態でその高さ位置が前記操作スイッチの昇降ボタンの操作により微調整され、
前記コントローラが、前記遮蔽体の上限位置又は下限位置を微調整するとき、前記微調整された前記遮蔽体下端の高さ位置に対応するロータリエンコーダのパルス信号の数を、前記新たな遮蔽体下端の高さ位置のパルス信号の数として前記メモリに上書きした後に、前記遮蔽体を昇降させて再び前記遮蔽体下端を前記メモリに上書きされた高さ位置に復帰させる動作を行うように構成された
ことを特徴とする電動日射遮蔽装置の遮蔽体下端の高さ設定装置。
【請求項２】
単一の保持部材と単一の電動モータとを有するゾーンが複数設けられ、
前記操作スイッチが、前記昇降ボタンと、前記高さ位置選択ボタンと、前記複数のゾーンのいずれか１つ又は２つ以上を選定するゾーン選定ボタンとを有する単一の操作スイッチにより構成されるか、或いは、前記昇降ボタン及び前記高さ位置選択ボタンを有するゾーンスイッチと、前記昇降ボタン及び前記ゾーン選定ボタンを有するマルチゾーンスイッチとにより構成され、
前記コントローラが前記ゾーン毎に１台ずつ設けられた請求項１記載の電動日射遮蔽装置の遮蔽体下端の高さ設定装置。
【請求項３】
各コントローラにディップスイッチがそれぞれ設けられ、これらのディップスイッチを切換えてアドレスを変更した状態で前記操作スイッチを操作することにより、複数のコントローラ全てが複数の電動モータ全てをそれぞれ制御してこれらの電動モータに対応する複数の遮蔽体の上限位置、下限位置及び中間位置を設定するように構成されるか、或いは複数のコントローラのうち１台のコントローラがこのコントローラに対応する電動モータを制御してその電動モータに対応する遮蔽体の上限位置及び下限位置のみを設定するように構成された請求項２記載の電動日射遮蔽装置の遮蔽体下端の高さ設定装置。
【請求項４】
前記単一の操作スイッチが、前記高さ位置選択ボタンで選択された遮蔽体下端の高さ位置を表示する高さ位置表示部と、前記ゾーン選定ボタンで選定されたゾーンを表示するゾーン選定表示部とを更に有する請求項２記載の電動日射遮蔽装置の遮蔽体下端の高さ設定装置。
【請求項５】
前記ゾーンスイッチが前記高さ位置選択ボタンで選択された遮蔽体下端の高さ位置を表示する高さ位置表示部を更に有し、前記マルチゾーンスイッチが前記ゾーン選定ボタンで選定されたゾーンを表示するゾーン選定表示部を更に有する請求項２記載の電動日射遮蔽装置の遮蔽体下端の高さ設定装置。
【請求項６】
前記電動日射遮蔽装置が電動ロールスクリーンであり、
前記保持部材が、前記窓枠、天井又は壁に取付けられる支持バーと、この支持バーの両端に対向して配置された一対の支持ブラケットと、前記支持バーに沿って設けられ両端が前記一対の支持ブラケットに枢支された巻取ローラと、一端が前記支持バーに固定され他端が前記巻取ローラに繰出し可能に巻取られかつ下端で折返されて二重に構成された遮蔽体とを有し、
前記電動モータが前記巻取ローラを回転駆動することにより、前記遮蔽体が昇降するように構成された請求項１ないし５いずれか１項に記載の電動日射遮蔽装置の遮蔽体下端の高さ設定装置。
【請求項７】
前記電動日射遮蔽装置が電動ローマンシェード又は電動プリーツスクリーンであり、
前記保持部材が、前記窓枠、天井又は壁に取付けられるヘッドレールと、前記ヘッドレールに上端が取付けられた前記遮蔽体と、一端が前記ヘッドレールから垂下されて前記遮蔽体下端に連結された昇降コードとを有し、
前記電動モータが前記ヘッドレール内に設けられ、
前記電動モータが前記昇降コードの他端を繰出し可能に巻取ることにより、前記遮蔽体が畳上げ可能に展開されて昇降するように構成された請求項１ないし５いずれか１項に記載の電動日射遮蔽装置の遮蔽体下端の高さ設定装置。
【請求項８】
前記電動日射遮蔽装置が電動横型ブラインドであり、
前記保持部材が、前記窓枠、天井又は壁に取付けられるヘッドレールと、前記ヘッドレールの長手方向及び前後方向にそれぞれ間隔をあけて前記ヘッドレールから垂下された複数のラダーコードと、これらのラダーコード間に鉛直方向に所定の間隔をあけて配設され水平方向に延びる複数のスラットと、前記複数のスラットのうち最下段のスラットの下方に水平方向に延びて設けられ前記複数のラダーコードの下端が連結されたボトムレールと、前記ヘッドレール内にチルト昇降切換機構を介して配索され一端が前記ヘッドレールから垂下されて前記ボトムレールに連結された昇降コードとを有し、
前記電動モータが前記ヘッドレール内に設けられ、
前記電動モータが前記昇降コードの他端を繰出し可能に巻取ることにより、前記複数のスラットが畳上げ可能に展開されて昇降するように構成された請求項１ないし５いずれか１項に記載の電動日射遮蔽装置の遮蔽体下端の高さ設定装置。
【発明の詳細な説明】
【技術分野】
【０００１】
本発明は、電動ロールスクリーン、電動ローマンシェード、電動プリーツスクリーン、電動横型ブラインド等の電動日射遮蔽装置の遮蔽体下端の高さ位置を設定する装置に関するものである。
【背景技術】
【０００２】
従来、電動機の回転に応じてブラインドの昇降を行う電動ブラインドが開示されている（例えば、特許文献１参照。）。この電動ブラインドでは、紐状部材によって連結された複数の羽根と、電動機により紐状部材を巻取り又は巻戻してブラインドを昇降させるためのドラムを収容するヘッドボックスとからブラインド本体が構成され、このブラインド本体と分離して設けられた指令手段が無線方式の遠隔操作手段によってブラインドの上昇、下降又は停止を指令するように構成される。また、指令手段からの指令信号を受信する受信手段が受信信号をヘッドボックスへ伝達し、指令手段に設けられた下限位置設定手段が指令手段の下降と停止等の同時入力によって、ブラインドの下降する下限位置を任意の位置に設定し、ヘッドボックス内に設けられたパルス信号発生手段がドラムの回転に応じてパルス信号を発生するように構成される。また、指令手段からの上昇又は下降の指令によるパルス信号発生手段から発生するパルス信号を計数し、下限位置設定手段によって設定された任意の位置のパルス計数値を記憶手段が書換え可能に記憶し、判別手段がパルス信号発生手段から発生されたパルス信号を計数し、その計数値が下限位置設定手段によって設定された値と一致したか否かを判別するように構成される。更に、制御手段が、指令手段からの下降指令により、受信手段が受信した信号に応じて、電動機を回転させてドラムにより紐状部材を巻戻してブラインドを下降させ、判別手段によって計数値が下限位置設定手段によって設定記憶された値と一致したことが判別されたことに応じて、電動機を停止させるように構成される。
【０００３】
このように構成された電動ブラインドでは、ブラインド本体とは分離して設けられた無線方式のリモコン送信機のような指令手段にブラインド下降位置高さ設定手段を設けたため、高いところに設けられるヘッドボックスから離れた無線方式のリモコン送信機のような指令手段の位置でブラインドの降下位置高さ設定が可能となる。また、上記下降高さの設定が指令手段の下降と停止等の同時入力によって、極めて容易かつ確実に行うことができるので、電動ブラインドを窓枠に取付けた後でもブラインドの下降高さの調整が容易に行うことができる。しかも、一旦、下降高さを設定した後も容易に下降高さを変更できる。この結果、施工時の作業性やブラインドの組立時の作業性を著しく向上できるようになっている。
【０００４】
一方、複数の電動ブラインドに電動ブラインド毎に配設された個別制御装置が電動ブラインドの昇降を個別に制御し、個別制御装置と通信回線により接続された中央制御装置が、電動ブラインドを電動ブラインドに対して設定された個別番号ないし群番号に基づいて個別ないし１種類以上の組合せからなる電動ブラインド群別に、両端ないし任意の停止位置を指定して昇降できるように構成された電動ブラインドシステムが開示されている（例えば、特許文献２参照。）。この電動ブラインドシステムでは、中央制御装置により電動ブラインドの群番号を設定ないし変更するように構成される。
【０００５】
このように構成された電動ブラインドシステムでは、中央制御装置から遠隔的に一箇所で、個別、群番号、ないし両端停止位置を容易に設定ないし変更できるとともに、通信回線に接続されているブラインドの個別番号の確認及び個別番号の重複の検証等を行うことができるので、ブラインドの管理を極めて容易にすることができる。例えば、ブラインドの上下限の両端停止位置において、この上下限の範囲を１６段階に分割し、マスタコントローラの操作盤を手元操作することにより、個別に、グループ別に、ゾーン別に又は全て同時に、上記１６段階のいずれかの位置を指定して電動ブラインドを停止させることができる。
【先行技術文献】
【特許文献】
【０００６】
【特許文献１】特開平８−２１００５８号公報（請求項１、段落［００５４］、図１、図５及び図６）
【特許文献２】特開平９−１５８６３６号公報（請求項２、段落［００２４］、［００３５］、図６）
【発明の概要】
【発明が解決しようとする課題】
【０００７】
しかし、上記従来の特許文献１に示された電動ブラインドでは、ブラインドの全閉位置等を設定した後に再設定できず、またブラインドを全開位置や全閉位置の他に中間位置で停止させたり、場合によってはドアの上部で停止させるなど、種々の停止位置が要求された場合、対応できない不具合があった。また、上記従来の特許文献２に示された電動ブラインドシステムでは、ブラインドの上下限の範囲を１６段階に分割しているけれども、上記と同様に、ブラインドを全開位置や全閉位置の他に中間位置で停止させたり、場合によってはドアの上部で停止させるなど、種々の停止位置が要求された場合、対応できない問題点があった。
【０００８】
本発明の第１の目的は、遮蔽体下端の複数段の高さ位置を容易に設定又は再設定できる、電動日射遮蔽装置の遮蔽体下端の高さ設定装置を提供することにある。本発明の第２の目的は、複数のゾーンが設けられている場合、遮蔽体下端の高さ位置を変更するゾーンを容易に選定できるとともに、そのゾーンの遮蔽体下端の複数段の高さ位置をそれぞれ容易に設定又は再設定できる、電動日射遮蔽装置の遮蔽体下端の高さ設定装置を提供することにある。本発明の第３の目的は、遮蔽体を保持する保持部材が高い位置に取付けられている場合、遮蔽体下端の高さ位置を再設定するとき、保持部材の設置場所に足場を組む必要がなく、操作スイッチの操作だけで済み、作業性及びメンテナンス性を向上できる、電動日射遮蔽装置の遮蔽体下端の高さ設定装置を提供することにある。本発明の第４の目的は、遮蔽体下端の高さ位置の設定後又は再設定後に、遮蔽体が自動的に昇降することにより、設定又は再設定が正常に行われたか否かを容易に判断できる、電動日射遮蔽装置の遮蔽体下端の高さ設定装置を提供することにある。
【課題を解決するための手段】
【０００９】
本発明の第１の観点は、図１、図４〜図８及び図１１に示すように、窓枠５１〜５４、天井又は壁に取付けられ遮蔽体１１〜１４を保持する保持部材２１〜２４と、この保持部材２１〜２４に設けられ駆動軸を回転駆動することにより遮蔽体１１〜１４を昇降させる電動モータ３１〜３４と、この電動モータ３１〜３４の駆動軸を正転又は逆転させるために操作される昇降ボタン１７ａ，１８ａを有する操作スイッチ１６と、この操作スイッチ１６の昇降ボタン１７ａ，１８ａの操作に基づいて電動モータ３１〜３４を制御することにより遮蔽体１１〜１４を昇降させて遮蔽体１１〜１４下端の高さを変更可能なコントローラ４１〜４４とを備えた電動日射遮蔽装置である。その特徴ある電動日射遮蔽体の遮蔽体下端の高さ設定装置は、電動モータ３１〜３４がその駆動軸の回転角度をパルス信号の数として検出するロータリエンコーダ３１ａ〜３４ａを有し、コントローラ４１〜４４に設けられたメモリ１９ａが遮蔽体１１〜１４下端の複数段の段階的な各高さ位置に対応する電動モータ３１〜３４の駆動軸の各回転角度をロータリエンコーダ３１ａ〜３４ａの検出する各パルス信号の数としてそれぞれ記憶し、操作スイッチ１６に遮蔽体１１〜１４下端の複数段の高さ位置のいずれかを選択可能な高さ位置選択ボタン１７ｂが設けられ、コントローラ４１〜４４が、高さ位置選択ボタン１７ｂにより選択された遮蔽体１１〜１４下端の高さ位置と、メモリ１９ａに記憶され高さ位置選択ボタン１７ｂの選択位置に対応するロータリエンコーダ３１ａ〜３４ａのパルス信号の数と、電動モータ３１〜３４の回転によりロータリエンコーダ３１ａ〜３４ａの検出するパルス信号の数とに基づいて、電動モータ３１〜３４を制御することにより、遮蔽体１１〜１４を昇降させて遮蔽体１１〜１４下端の高さ位置を高さ位置選択ボタン１７ｂにより選択された高さ位置で停止させるように構成される。遮蔽体１１〜１４下端は所定の高さ位置に停止した状態でその高さ位置が操作スイッチ１６の昇降ボタン１７ａ，１８ａの操作により微調整され、コントローラ４１〜４４が、遮蔽体１１〜１４の上限位置又は下限位置を微調整するとき、この微調整された遮蔽体１１〜１４下端の高さ位置に対応するロータリエンコーダ３１ａ〜３４ａのパルス信号の数を、新たな遮蔽体１１〜１４下端の高さ位置のパルス信号の数としてメモリ１９ａに上書きした後に、遮蔽体１１〜１４を昇降させて再び遮蔽体１１〜１４下端をメモリ１９ａに上書きされた高さ位置に復帰させる動作を行うように構成される。
【００１０】
本発明の第２の観点は、第１の観点に基づく発明であって、更に図１、図７、図８及び図１１に示すように、単一の保持部材２１〜２４と単一の電動モータ３１〜３４とを有するゾーン６１〜６４が複数設けられ、操作スイッチ１６が、昇降ボタン１７ａ，１８ａと、高さ位置選択ボタン１７ｂと、複数のゾーン６１〜６４のいずれか１つ又は２つ以上を選定するゾーン選定ボタン１８ｂとを有する単一の操作スイッチ１６により構成されるか、或いは、昇降ボタン１７ａ及び高さ位置選択ボタン１７ｂを有するゾーンスイッチ１７と、昇降ボタン１８ａ及びゾーン選定ボタン１８ｂを有するマルチゾーンスイッチ１８とにより構成され、コントローラ４１〜４４がゾーン６１〜６４毎に１台ずつ設けられたことを特徴とする。
【００１１】
本発明の第３の観点は、第２の観点に基づく発明であって、更に図１に示すように、各コントローラ４１〜４４にディップスイッチがそれぞれ設けられ、これらのディップスイッチを切換えてアドレスを変更した状態で操作スイッチ１６を操作することにより、複数のコントローラ４１〜４４全てが複数の電動モータ３１〜３４全てをそれぞれ制御してこれらの電動モータ３１〜３４に対応する複数の遮蔽体１１〜１４の上限位置、下限位置及び中間位置を設定するように構成されるか、或いは複数のコントローラ４１〜４４のうち１台のコントローラ４１，４２，４３又は４４がこのコントローラに対応する電動モータ３１，３２，３３又は３４を制御してその電動モータに対応する遮蔽体１１，１２，１３又は１４の上限位置及び下限位置のみを設定するように構成されたことを特徴とする。
【００１２】
本発明の第４の観点は、第２の観点に基づく発明であって、更に単一の操作スイッチが、高さ位置選択ボタンで選択された遮蔽体下端の高さ位置を表示する高さ位置表示部と、ゾーン選定ボタンで選定されたゾーンを表示するゾーン選定表示部とを更に有することを特徴とする。
【００１３】
本発明の第５の観点は、第２の観点に基づく発明であって、更に図７及び図８に示すように、ゾーンスイッチ１７が高さ位置選択ボタン１７ｂで選択された遮蔽体１１〜１４下端の高さ位置を表示する高さ位置表示部１７ｃを更に有し、マルチゾーンスイッチ１８がゾーン選定ボタン１８ｂで選定されたゾーン６１〜６４を表示するゾーン選定表示部１８ｃとを更に有することを特徴とする。
【００１５】
本発明の第６の観点は、第１ないし第５の観点のいずれかに基づく発明であって、更に図１に示すように、電動日射遮蔽装置が電動ロールスクリーンであり、保持部材２１〜２４が、窓枠５１〜５４、天井又は壁に取付けられる支持バーと、この支持バーの両端に対向して配置された一対の支持ブラケットと、支持バーに沿って設けられ両端が一対の支持ブラケットに枢支された巻取ローラ２１ａ〜２４ａと、一端が支持バーに固定され他端が巻取ローラ２１ａ〜２４ａに繰出し可能に巻取られかつ下端で折返されて二重に構成された遮蔽体１１〜１４とを有し、電動モータ３１〜３４が巻取ローラ２１ａ〜２４ａを回転駆動することにより、遮蔽体１１〜１４が昇降するように構成されたことを特徴とする。
【００１６】
本発明の第７の観点は、第１ないし第５の観点のいずれかに基づく発明であって、更に電動日射遮蔽装置が電動ローマンシェード又は電動プリーツスクリーンであり、保持部材が、窓枠、天井又は壁に取付けられるヘッドレールと、このヘッドレールに上端が取付けられた遮蔽体と、一端がヘッドレールから垂下されて遮蔽体下端に連結された昇降コードとを有し、電動モータがヘッドレール内に設けられ、電動モータが昇降コードの他端を繰出し可能に巻取ることにより、遮蔽体が畳上げ可能に展開されて昇降するように構成されたことを特徴とする。
【００１７】
本発明の第８の観点は、第１ないし第５の観点のいずれかに基づく発明であって、更に電動日射遮蔽装置が電動横型ブラインドであり、保持部材が、窓枠天井又は壁に取付けられるヘッドレールと、このヘッドレールの長手方向及び前後方向にそれぞれ間隔をあけてヘッドレールから垂下された複数のラダーコードと、これらのラダーコード間に鉛直方向に所定の間隔をあけて配設され水平方向に延びる複数のスラットと、複数のスラットのうち最下段のスラットの下方に水平方向に延びて設けられ複数のラダーコードの下端が連結されたボトムレールと、ヘッドレール内にチルト昇降切換機構を介して配索され一端がヘッドレールから垂下されてボトムレールに連結された昇降コードとを有し、電動モータがヘッドレール内に設けられ、電動モータが昇降コードの他端を繰出し可能に巻取ることにより、複数のスラットが畳上げ可能に展開されて昇降するように構成されたことを特徴とする。
【発明の効果】
【００１８】
本発明の第１の観点の遮蔽体下端の高さ設定装置では、遮蔽体下端が所定の高さ位置に停止した状態でその高さ位置を操作スイッチの昇降ボタンの操作により微調整し、コントローラが、上記微調整された遮蔽体下端の高さ位置に対応するロータリエンコーダのパルス信号の数を、新たな遮蔽体下端の高さ位置のパルス信号の数として前記メモリに上書きするので、遮蔽体下端の複数段の高さ位置を容易に設定又は再設定できる。また、コントローラが、遮蔽体の上限位置又は下限位置を微調整するとき、微調整された遮蔽体下端の高さ位置に対応するロータリエンコーダのパルス信号の数を、新たな遮蔽体下端の高さ位置のパルス信号の数としてメモリに上書きした後に、遮蔽体を昇降させて再び遮蔽体下端をメモリに上書きされた高さ位置に復帰させる動作を行う、即ち遮蔽体下端の高さ位置の設定後又は再設定後に、遮蔽体が自動的に昇降するので、設定又は再設定が正常に行われたか否かを容易に判断できる。
【００１９】
本発明の第２の観点の遮蔽体下端の高さ設定装置では、単一の保持部材と単一の電動モータとを有するゾーンが複数設けられている場合、単一の操作スイッチ又はマルチゾーンスイッチのゾーン選定ボタンを操作することにより、遮蔽体下端の高さ位置を変更するゾーンを容易に選定できる。そして単一の操作スイッチ又はゾーンスイッチの高さ位置選択ボタンを操作して遮蔽体下端の高さ位置を変更したい高さ位置近傍まで遮蔽体を昇降させた後、昇降ボタンを操作して遮蔽体下端の高さ位置を所望の高さ位置になるように微調整するか、或いは単一の操作スイッチ又はマルチゾーンスイッチ若しくはゾーンスイッチの昇降ボタンを操作して遮蔽体下端の高さ位置を所望の高さ位置になるように微調整することにより、上記選定したゾーンの遮蔽体下端の複数段の高さ位置をそれぞれ容易に設定又は再設定できる。
【００２０】
本発明の第３の観点の遮蔽体下端の高さ設定装置では、各コントローラに設けられたディップスイッチを切換えてアドレスを変更した状態で操作スイッチを操作することにより、複数のコントローラ全てが複数の電動モータ全てをそれぞれ制御してこれらの電動モータに対応する複数の遮蔽体の上限位置、下限位置及び中間位置を設定すれば、遮蔽体の上限位置、下限位置及び中間位置の設定時間を短縮できる。また、各コントローラに設けられたディップスイッチを切換えてアドレスを変更した状態で操作スイッチを操作することにより、複数のコントローラのうち１台のコントローラがこのコントローラに対応する電動モータを制御してその電動モータに対応する遮蔽体の上限位置及び下限位置のみを設定すれば、各遮蔽体の上限位置及び下限位置を微調整できる。
【００２１】
本発明の第４の観点の遮蔽体下端の高さ設定装置では、単一の操作スイッチが、高さ位置選択ボタンで選択された遮蔽体下端の高さ位置を表示する高さ位置表示部と、ゾーン選定ボタンで選定されたゾーンを表示するゾーン選定表示部とを更に有するので、ゾーン選定ボタンを操作することにより、遮蔽体下端の高さ位置を変更するゾーンを容易に選定できるとともに、ゾーン選定表示部により上記選定されたゾーンを確認できる。そして高さ位置選択ボタンを操作して遮蔽体下端の高さ位置を変更したい高さ位置近傍まで遮蔽体を昇降させた後、昇降ボタンを操作して遮蔽体下端の高さ位置を所望の高さ位置になるように微調整するか、或いは単一の操作スイッチの昇降ボタンを操作して遮蔽体下端の高さ位置を所望の高さ位置になるように微調整することにより、上記選定したゾーンの遮蔽体下端の複数段の高さ位置をそれぞれ容易に設定又は再設定できる。この結果、遮蔽体を保持する保持部材が高い位置に取付けられている場合、遮蔽体下端の高さ位置を再設定するとき、保持部材の設置場所に足場を組む必要がなく、単一の操作スイッチの操作だけで済み、作業性及びメンテナンス性を向上できる。なお、高さ位置選択ボタンを操作して遮蔽体下端の高さ位置を変更したい高さ位置近傍まで遮蔽体を昇降させることにより、高さ位置表示部に変更したい遮蔽体下端の高さ位置が表示されるので、遮蔽体下端の高さ位置を再設定するときの作業性及びメンテナンス性をより向上できる。
【００２２】
本発明の第５の観点の遮蔽体下端の高さ設定装置では、ゾーンスイッチが高さ位置選択ボタンで選択された遮蔽体下端の高さ位置を表示する高さ位置表示部を更に有し、マルチゾーンスイッチがゾーン選定ボタンで選定されたゾーンを表示するゾーン選定表示部とを更に有するので、マルチゾーンスイッチのゾーン選定ボタンを操作することにより、遮蔽体下端の高さ位置を変更するゾーンを容易に選定できるとともに、マルチゾーンスイッチのゾーン選定表示部により上記選定されたゾーンを確認できる。そしてゾーンスイッチの高さ位置選択ボタンを操作して遮蔽体下端の高さ位置を変更したい高さ位置近傍まで遮蔽体を昇降させた後、ゾーンスイッチの昇降ボタンを操作して遮蔽体下端の高さ位置を所望の高さ位置になるように微調整するか、或いはマルチゾーンスイッチ又はゾーンスイッチの昇降ボタンを操作して遮蔽体下端の高さ位置を所望の高さ位置になるように微調整することにより、上記選定したゾーンの遮蔽体下端の複数段の高さ位置をそれぞれ容易に設定又は再設定できる。この結果、遮蔽体を保持する保持部材が高い位置に取付けられている場合、遮蔽体下端の高さ位置を再設定するとき、保持部材の設置場所に足場を組む必要がなく、マルチゾーンスイッチ及びゾーンスイッチの操作だけで済み、作業性及びメンテナンス性を向上できる。なお、ゾーンスイッチの高さ位置選択ボタンを操作して遮蔽体下端の高さ位置を変更したい高さ位置近傍まで遮蔽体を昇降させることにより、高さ位置表示部に変更したい遮蔽体下端の高さ位置が表示されるので、遮蔽体下端の高さ位置を再設定するときの作業性及びメンテナンス性をより向上できる。
【図面の簡単な説明】
【００２４】
【図１】本発明実施形態の電動日射遮蔽装置の遮蔽体下端の高さ設定装置により第１〜第４遮蔽体下端が全て上限位置まで上昇した状態を示す構成図である。
【図２】第１〜第４遮蔽体下端を上限位置から下降させて第１〜第４遮蔽体下端の高さが全て同一レベルにある状態を示す図１に対応する構成図である。
【図３】第１〜第４遮蔽体下端をこれらの高さが全て同一レベルである状態から更に下降させて第２遮蔽体下端の高さが下限位置に達しかつ第１、第３及び第４遮蔽体下端の高さが第２遮蔽体下端の下限位置より低い同一レベルにある状態を示す図１に対応する構成図である。
【図４】第１〜第４遮蔽体下端の高さが全て下限位置に達した状態を示す図１に対応する構成図である。
【図５】第３遮蔽体下端の上限位置を微調整して上限位置を再設定した直後の遮蔽体の動作を示す図である。
【図６】第３遮蔽体下端の下限位置を微調整して下限位置を再設定した直後の遮蔽体の動作を示す図である。
【図７】ゾーンスイッチの正面図である。
【図８】マルチゾーンスイッチの正面図である。
【図９】ゾーンスイッチに設けられた１５個の高さ選択用ＬＥＤの点灯パターンを示す図である。
【図１０】マルチゾーンスイッチに設けられた４個のゾーン選定用ＬＥＤの点灯パターンを示す図である。
【図１１】リミット設定モードに移行して遮蔽体下端の高さを再設定する動作を示すフローチャート図である。
【発明を実施するための形態】
【００２５】
次に本発明を実施するための形態を図面に基づいて説明する。図１〜図４に示すように、電動ロールスクリーンは、窓枠５１〜５４に取付けられ遮蔽体１１〜１４を保持する保持部材２１〜２４と、この保持部材２１〜２４に設けられ駆動軸を回転駆動することにより遮蔽体１１〜１４を昇降させる電動モータ３１〜３４と、この電動モータ３１〜３４の駆動軸を正転又は逆転させるために操作される昇降ボタン１７ａ，１８ａを有する操作スイッチ１６と、この操作スイッチ１６の昇降ボタン１７ａ，１８ａの操作に基づいて電動モータ３１〜３４を制御することにより遮蔽体１１〜１４を昇降させて遮蔽体１１〜１４下端の高さを変更可能なコントローラ４１〜４４とを備える。上記保持部材２１〜２４は、窓枠５１〜５４に取付けられる支持バーと、この支持バーの両端に対向して配置された一対の支持ブラケットと、支持バーに沿って設けられ両端が一対の支持ブラケットに枢支された巻取ローラ２１ａ〜２４ａと、一端が支持バーに固定され他端が巻取ローラ２１ａ〜２４ａに繰出し可能に巻取られかつ下端で折返されて二重に構成された遮蔽体１１〜１４とを有する。上記電動モータ３１〜３４は巻取ローラ２１ａ〜２４ａに収容されるように一方の支持ブラケットに取付けられ、この電動モータ３１〜３４が巻取ローラ２１ａ〜２４ａを回転駆動することにより、遮蔽体１１〜１４が昇降するように構成される。また、遮蔽体１１〜１４の折返し部には、常に位置するように遮蔽体１１〜１４に取付けられ遮蔽体１１〜１４に張力を付与する錘部材１１ａ〜１４ａが設けられる。更に、電動モータ３１〜３４はその駆動軸の回転角度をパルス信号の数として検出するロータリエンコーダ３１ａ〜３４ａを有する。
【００２６】
この実施の形態では、単一の保持部材２１〜２４と単一の電動モータ３１〜３４とを有するゾーン６１〜６４が４つ設けられる（図１〜図４）。即ち、部屋の最も左側に第１保持部材２と第１電動モータ３１とを有する第１ゾーン６１が設けられ、第１ゾーン６１の右隣に第２保持部材２２と第２電動モータ３２とを有する第２ゾーン６２が設けられ、第２ゾーン６２の右隣に第３保持部材２３と第３電動モータ３３とを有する第３ゾーン６３が設けられ、第３ゾーン６３の右隣に第４保持部材２４と第４電動モータ３４とを有する第４ゾーン６４が設けられる。また、操作スイッチ１６はゾーンスイッチ１７とマルチゾーンスイッチ１８とにより構成される（図１〜図４、図７及び図８）。ゾーンスイッチ１７は、第１〜第４遮蔽体１１〜１４を昇降させる昇降ボタン１７ａと、第１〜第４遮蔽体１１〜１４下端の複数段の高さ位置のいずれかを選択可能な高さ位置選択ボタン１７ｂと、高さ位置選択ボタン１７ｂで選択された第１〜第４遮蔽体１１〜１４下端の高さ位置を表示する高さ位置表示部１７ｃとを有する（図１〜図４及び図７）。また、マルチゾーンスイッチ１８は、第１〜第４遮蔽体１１〜１４を昇降させる昇降ボタン１８ａと、４つの第１〜第４ゾーン６１〜６４のいずれか１つ又は２つ以上を選定するゾーン選定ボタン１８ｂと、ゾーン選定ボタン１８ｂで選定されたゾーン６１〜６４を表示するゾーン選定表示部１８ｃとを有する（図１〜図４及び図８）。
【００２７】
高さ位置選択ボタン１７ｂは、ゾーンスイッチ１７の右上部に設けられた上向きボタン１７ｄと、ゾーンスイッチ１７の右下部に設けられた下向きボタン１７ｅとからなる（図７）。この実施の形態では、高さ位置選択ボタン１７ｂで選択可能な第１〜第４遮蔽体１１〜１４下端の高さ位置の段数は１５段であり、高さ位置選択表示部１７ｃはゾーンスイッチ１７の左右方向の中央に縦方向に所定の間隔をあけて設けられた１５個の高さ選択用ＬＥＤ（発光ダイオード）からなる。上向きボタン１７ｄを押すことにより、点灯する高さ選択用ＬＥＤ１７ｃが上方に移行し、下向きボタン１７ｅを押すことにより、点灯する高さ選択用ＬＥＤ１７ｃが下方に移行するとともに、コントローラ４１〜４４が高さ位置選択ボタン１７ｂの上向きボタン１７ｄ又は下向きボタン１７ｅの操作に基づいて第１〜第４電動モータ３１〜３４を制御することにより第１〜第４遮蔽体１１〜１４下端の１５段の高さ位置のいずれかに一致するように第１〜第４遮蔽体１１〜１４を昇降するように構成される。また、ゾーン選定ボタン１８ｂは、マルチゾーンスイッチ１８の上下方向の略中央であって左右方向の左部に設けられる（図１〜図４及び図８）。また、この実施の形態では、ゾーン選定表示部１８ｃはマルチゾーンスイッチ１８の上部に横方向に所定の間隔をあけて設けられた４個のゾーン選定用ＬＥＤ（発光ダイオード）である。ゾーン選定ボタン１８ｂを押すことにより、４つのゾーン選定用ＬＥＤ１８ｃのうち点灯するゾーン選定用ＬＥＤ１８ｃの数及び位置が変化するとともに、コントローラ４１〜４４がゾーン選定ボタン１８ｂの操作に基づいて第１〜第４電動モータ３１〜３４を制御することにより４つの第１〜第４ゾーン６１〜６４のうち選定されたゾーン６１〜６４の遮蔽体１１〜１４を昇降するように構成される。なお、１５個の高さ選択用ＬＥＤ１７ｃは図９に示すパターンで点灯し、４個のゾーン選定用ＬＥＤ１８ｃは図１０に示すパターンで点灯するようになっている。
【００２８】
一方、ゾーンスイッチ１７の昇降ボタン１７ａは、第１〜第４遮蔽体１１〜１４を上昇させるためのＯＰＥＮボタン１７ｆと、第１〜第４遮蔽体１１〜１４を下降させるためのＣＬＯＳＥボタン１７ｇと、昇降している第１〜第４遮蔽体１１〜１４を停止させるＳＴＯＰボタン１７ｈとからなる（図７）。また、マルチゾーンスイッチ１８の昇降ボタン１８ａは、第１〜第４遮蔽体１１〜１４を上昇させるためのＯＰＥＮボタン１８ｄと、第１〜第４遮蔽体１１〜１４を下降させるためのＣＬＯＳＥボタン１８ｅと、昇降している第１〜第４遮蔽体１１〜１４を停止させるＳＴＯＰボタン１８ｆとからなる（図８）。上記ゾーンスイッチ１７の昇降ボタン１７ａと上記マルチゾーンスイッチ１８の昇降ボタン１８ａは同一機能を有し、ＯＰＥＮボタン１７ｆ，１８ｄを押すとこのボタンから手を離しても第１〜第４遮蔽体１１〜１４は上昇し続け、ＣＬＯＳＥボタン１７ｇ，１８ｅを押すとこのボタンから手を離しても第１〜第４遮蔽体１１〜１４は下降し続け、ストップボタン１７ｈ，１８ｆを押すと第１〜第４遮蔽体１１〜１４が停止するようになっている。更に、コントローラ４１〜４４はゾーン６１〜６４毎に１台ずつ設けられる。
【００２９】
各コントローラ４１〜４４の制御入力には、ゾーンスイッチ１７の操作出力、マルチゾーンスイッチ１８の操作出力及び第１〜第４ロータリエンコーダ３１ａ〜３４ａの検出出力がそれぞれ接続され、各コントローラ４１〜４４の制御出力は第１〜第４電動モータ３１〜３４に接続される（図１〜図４）。また、各コントローラ４１〜４４にはメモリ４１ａ〜４４ａがそれぞれ設けられる。これらのメモリ４１ａ〜４４ａには、第１〜第４遮蔽体１１〜１４下端の１５段の段階的な各高さ位置に対応する第１〜第４電動モータ３１〜３４の駆動軸の各回転角度を第１〜第４ロータリエンコーダ３１ａ〜３４ａの検出する各パルス信号の数としてそれぞれ記憶される。また、ゾーンスイッチ１７及びマルチゾーンスイッチ１８は、第１〜第４遮蔽体１１〜１４の通常の操作モードと、４つの第１〜第４ゾーン６１〜６４のいずれか１つ又は２つ以上のゾーン６１〜６４において第１〜第４遮蔽体１１〜１４下端の１５段の高さ位置のいずれかを変更して再設定可能なリミット操作モードに切換えることができるように構成される。通常の操作モードからリミット操作モードへの切換えは、例えばＳＴＯＰボタン１７ｈ，１８ｆをＴ秒間押し続けることにより行われ、リミット操作モードから通常の操作モードへの切換えは、例えばＳＴＯＰボタン１７ｈ，１８ｆをＳ回間欠的に押すことにより行われる。この実施の形態では、ゾーンスイッチ１７、マルチゾーンスイッチ１８、コントローラ４１〜４４、電動モータ３１〜３４及びロータリエンコーダ３１ａ〜３４ａは全て有線により接続される。なお、ゾーンスイッチ及びマルチゾーンスイッチと、コントローラとの接続は、無線又は赤外線により接続してもよい。
【００３０】
更に、各コントローラ４１〜４４にはディップスイッチ（図示せず）がそれぞれ設けられ、これらのディップスイッチは、この実施の形態では、１列に並べて配設された４つのオンオフ切換えの第１〜第４スイッチ部からなる。これらのディップスイッチは１６段階に切換え可能であるため、コントローラアドレスを開始アドレス『０』に設定した時を除いて最大１５ゾーンまで適用できる。この実施の形態では、コントローラ４１〜４４のディップスイッチの第１〜第４スイッチ部を全てオフにするとコントローラアドレスが開始アドレス『０』になり、第１スイッチ部をオンにして第２〜第４スイッチ部をオフにするとコントローラアドレスが『１』（開始アドレス『０』＋１）になり、第２スイッチ部をオンにして第１、第３及び第４スイッチ部をオフにするとコントローラアドレスが『２』（開始アドレス『０』＋２）になり、第１及び第２スイッチ部をオンにして第３及び第４スイッチ部をオフにするとコントローラアドレスが『３』（開始アドレス『０』＋３）になり、第３スイッチ部をオンにして第１、第２及び第４スイッチ部をオフにするとコントローラアドレスが『４』（開始アドレス『０』＋４）になるように設定される。このディップスイッチの第１〜第４スイッチ部のオンオフ設定は、マルチゾーンスイッチ１８のゾーン選定用ＬＥＤ１８ｃのオンオフ設定に対応している（図１０）。また、この実施の形態では、遮蔽体１１〜１４の高さを１５段階にそれぞれ設定可能であり、ゾーンスイッチ１７の遮蔽体の高さ選択用ＬＥＤ１７ｃの数が１５個であるため、ゾーンスイッチ１７の遮蔽体の高さ選択用ＬＥＤ１７ｃのオンオフ設定は、各コントローラ４１〜４４のディップスイッチの第１〜第４スイッチ部のオンオフ設定に対応している（図９）。これらのことから、第１〜第４遮蔽体１１〜１４の下端の上限位置の設定、第１〜第４遮蔽体１１〜１４の下端の下限位置の設定等は、マルチゾーンスイッチ１８又はゾーンスイッチ１７のいずれか一方を用いて行うことができる。
【００３１】
このように構成された電動ロールスクリーンの遮蔽体下端の高さ設定装置の動作を説明する。２階の床が設けられておらず１階から２階にわたる吹抜け空間において、この吹抜け空間を区画する壁２６に４つの第１〜第４窓７１〜７４が水平方向に所定の間隔をあけて設けられ、第１、第３及び第４窓７１，７３，７４は縦長に形成され、第２窓７２はドア２７の上方に位置して形成される。そして、第１〜第４保持部材２１〜２４を第１〜第４窓７１〜７４の窓枠５１〜５４の上枠部下面にそれぞれ取付け、第１〜第４電動モータ３１〜３４を電源に接続する。なお、第１〜第４保持部材２１〜２４の第１〜第４遮蔽体１１〜１４の全長は同一である。
【００３２】
（１−１）  第１〜第４遮蔽体の下端の上限位置の初期設定手順
先ず、第１〜第４コントローラ４１〜４４のディップスイッチの第１〜第４スイッチ部を全てオフにして、第１〜第４コントローラ４１〜４４のコントローラアドレスを全て開始アドレス『０』に設定する。次いで、ゾーンスイッチ１７のＳＴＯＰボタン１７ｈをＴ秒間押し続けて、通常の操作モードからリミット操作モードに切換えた後に、ゾーンスイッチ１７のＯＰＥＮボタン１７ｆを押し、第１〜第４コントローラ４１〜４４により第１〜第４電動モータ３１〜３４を駆動して４枚の第１〜第４遮蔽体１１〜１４を全て上昇させる。そして、上限位置に達したときにＳＴＯＰボタン１７ｈを押すと、第１〜第４遮蔽体１１〜１４はその位置に停止する。次に、ゾーンスイッチ１７の高さ位置選択ボタン１７ｂを何回か押して最上段（スイッチ表示１５）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第１〜第４コントローラ４１〜４４は、現在の高さ位置を上限位置としてメモリ４１ａ〜４４ａにそれぞれ記憶する、即ち第１〜第４遮蔽体１１〜１４下端の高さ位置（上限位置）に対応する第１〜第４ロータリエンコーダ３１ａ〜３４ａのパルス信号の数を、新たな第１〜第４遮蔽体１１〜１４下端の高さ位置のパルス信号の数としてメモリ４１ａ〜４４ａにそれぞれ記憶する。更に、第１〜第４コントローラ４１〜４４は、図５に示すように、第１〜第４遮蔽体１１〜１４を上限位置からα以上下降させて（現在位置≧上限位置＋α）、再び第１〜第４遮蔽体１１〜１４下端をメモリ４１ａ〜４４ａに上書きされた高さ位置に復帰させる（現在位置＝上限位置）。これにより現在の高さ位置が上限位置としてメモリ４１ａ〜４４ａに上書きされたことを目視により確認できる。
【００３３】
（１−２）  第１〜第４遮蔽体の下端の下限位置の初期設定手順
先ず、第１〜第４コントローラ４１〜４４のディップスイッチの第１〜第４スイッチ部を全てオフにして、第１〜第４コントローラ４１〜４４のコントローラアドレスを全て開始アドレス『０』に設定したままにしておく。次いで、ゾーンスイッチ１７のＳＴＯＰボタン１７ｈをＴ秒間押し続けて、通常の操作モードからリミット操作モードに切換えた後に、ゾーンスイッチ１７のＣＬＯＳＥボタン１７ｇを押し、第１〜第４コントローラ４１〜４４により第１〜第４電動モータ３１〜３４を駆動して４枚の第１〜第４遮蔽体１１〜１４を全て下降させる。そして、下限位置に達したときにＳＴＯＰボタン１７ｈを押すと、第１〜第４遮蔽体１１〜１４はその位置に停止する。次に、ゾーンスイッチ１７の高さ位置選択ボタン１７ｂを何回か押して最下段（スイッチ表示１）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第１〜第４コントローラ４１〜４４は、現在の高さ位置を下限位置としてメモリ４１ａ〜４４ａにそれぞれ記憶する、即ち第１〜第４遮蔽体１１〜１４下端の高さ位置（下限位置）に対応する第１〜第４ロータリエンコーダ３１ａ〜３４ａのパルス信号の数を、新たな第１〜第４遮蔽体１１〜１４下端の高さ位置のパルス信号の数としてメモリ４１ａ〜４４ａにそれぞれ記憶する。更に、第１〜第４コントローラ４１〜４４は、図６に示すように、第１〜第４遮蔽体１１〜１４を下限位置からα以上上昇させて（現在位置≧下限位置−α）、再び第１〜第４遮蔽体１１〜１４下端をメモリ４１ａ〜４４ａに上書きされた高さ位置に復帰させる（現在位置＝下限位置）。これにより現在の高さ位置が下限位置としてメモリ４１ａ〜４４ａに上書きされたことを目視により確認できる。
【００３４】
（１−３）  第１〜第４遮蔽体の下端の中間位置の初期設定手順
先ず、第１〜第４コントローラ４１〜４４のディップスイッチの第１〜第４スイッチ部を全てオフにして、第１〜第４コントローラ４１〜４４のコントローラアドレスを全て開始アドレス『０』に設定したままにしておく。次いで、ゾーンスイッチ１７のＳＴＯＰボタン１７ｈをＴ秒間押し続けて、通常の操作モードからリミット操作モードに切換えた後に、ゾーンスイッチ１７のＣＬＯＳＥボタン１７ｇを押し、第１〜第４コントローラ４１〜４４により第１〜第４電動モータ３１〜３４を駆動して４枚の第１〜第４遮蔽体１１〜１４を全て下降させる。そして、中間位置のうち下から２段目の位置に達したときにＳＴＯＰボタン１７ｈを押すと、第１〜第４遮蔽体１１〜１４はその位置に停止する。次に、ゾーンスイッチ１７の高さ位置選択ボタン１７ｂを何回か押して下から２個目（スイッチ表示２）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第１〜第４コントローラ４１〜４４は、現在の高さ位置を下から２段目の位置としてメモリ４１ａ〜４４ａにそれぞれ記憶する、即ち第１〜第４遮蔽体１１〜１４下端の高さ位置（下から２段目の位置）に対応する第１〜第４ロータリエンコーダ３１ａ〜３４ａのパルス信号の数を、新たな第１〜第４遮蔽体１１〜１４下端の高さ位置のパルス信号の数としてメモリ４１ａ〜４４ａにそれぞれ記憶する。第１〜第４遮蔽体の下端の中間位置（下から３〜１４段目）の設定も上記と同様にして設定できる。
【００３５】
（１−４）  第１〜第４遮蔽体の下端の中間位置の自動初期設定手順
なお、第１〜第４遮蔽体１１〜１４の下端の中間位置（下から２〜１４段目）を自動的に設定してもよい。具体的には、第１〜第４遮蔽体１１〜１４の下端の上限位置と下限位置を設定した後に、リミット操作モードに切換えて、ゾーンスイッチ１７のＳＴＯＰボタン１７ｈをＡ回押した後にＯＰＥＮボタン１７ｆ又はＣＬＯＳＥボタン１７ｇをＢ回押す。これにより、第１〜第４コントローラ４１〜４４が、第１〜第４遮蔽体１１〜１４の下端の高さ位置のうち上限位置に対応するメモリ４１ａ〜４４ａ内のパルス信号の数と、下限位置に対応するメモリ４１ａ〜４４ａ内のパルス信号の数との差分を演算にて１５分割し、分割した各パルス信号の数を第１〜第４遮蔽体１１〜１４の下端の１５段階の高さ位置にそれぞれ割当てるとともに、ゾーンスイッチ１７の１５個の高さ選択用ＬＥＤ１７ｃの選択条件及び点灯条件にもそれぞれ割当てる。
【００３６】
（２−１）  第１〜第４遮蔽体の下端の上限位置の微調整及び再設定手順
第１〜第４遮蔽体１１〜１４の下端の高さ位置が全て上限位置に達していない場合、第１〜第４遮蔽体１１〜１４の下端の上限位置の微調整及び再設定手順を図１１のフローチャート図に基づいて説明する。具体的には、上記『（１−１）  第１〜第４遮蔽体の下端の上限位置の初期設定手順』と略同じ手順で微調整及び再設定を行う。先ず、第１〜第４コントローラ４１〜４４のディップスイッチの第１〜第４スイッチ部を全てオフにして、第１〜第４コントローラ４１〜４４のコントローラアドレスを全て開始アドレス『０』に設定する。次いで、ゾーンスイッチ１７のＳＴＯＰボタン１７ｈをＴ秒間押し続けて、通常の操作モードからリミット操作モードに切換えた後に、ゾーンスイッチ１７のＯＰＥＮボタン１７ｆを押し、第１〜第４コントローラ４１〜４４により第１〜第４電動モータ３１〜３４を駆動して４枚の第１〜第４遮蔽体１１〜１４の下端を上昇させる。そして、所望の上限位置に達したときにＳＴＯＰボタン１７ｈを押すと、第１〜第４遮蔽体１１〜１４はその位置に停止して微調整が完了する。次に、ゾーンスイッチ１７の高さ位置選択ボタン１７ｂを何回か押して最上段（スイッチ表示１５）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第１〜第４コントローラ４１〜４４は、現在の高さ位置を新たな上限位置としてメモリ４１ａ〜４４ａにそれぞれ上書きする、即ち第１〜第４遮蔽体１１〜１４下端の高さ位置（上限位置）に対応する第１〜第４ロータリエンコーダ３１ａ〜３４ａのパルス信号の数を、新たな第１〜第４遮蔽体１１〜１４下端の高さ位置のパルス信号の数としてメモリ４１ａ〜４４ａにそれぞれ上書きする。更に、第１〜第４コントローラ４１〜４４は、図５に示すように、第１〜第４遮蔽体１１〜１４を上限位置からα以上下降させて（現在位置≧上限位置＋α）、再び第１〜第４遮蔽体１１〜１４下端をメモリ４１ａ〜４４ａに上書きされた高さ位置に復帰させる（現在位置＝上限位置）。これにより現在の高さ位置が上限位置としてメモリ４１ａ〜４４ａに上書きされたことを目視により確認できる。
【００３７】
（２−２）  第１〜第４遮蔽体の下端の下限位置の微調整及び再設定手順
第１〜第４遮蔽体１１〜１４のうち遮蔽体下端の高さ位置が下限位置に達していない場合、第１〜第４遮蔽体１１〜１４の下端の下限位置の微調整及び再設定手順を図１１のフローチャート図に基づいて説明する。具体的には、上記『（１−２）  第１〜第４遮蔽体の下端の下限位置の初期設定手順』と略同じ手順で微調整及び再設定を行う。先ず、第１〜第４コントローラ４１〜４４のディップスイッチの第１〜第４スイッチ部を全てオフにして、第１〜第４コントローラ４１〜４４のコントローラアドレスを全て開始アドレス『０』に設定する。次いで、ゾーンスイッチ１７のＳＴＯＰボタン１７ｈをＴ秒間押し続けて、通常の操作モードからリミット操作モードに切換えた後に、ゾーンスイッチ１７のＣＬＯＳＥボタン１７ｇを押し、第１〜第４コントローラ４１〜４４により第１〜第４電動モータ３１〜３４を駆動して４枚の第１〜第４遮蔽体１１〜１４を全て下降させる。そして、所望の下限位置に達したときにＳＴＯＰボタン１７ｈを押すと、第１〜第４遮蔽体１１〜１４はその位置に停止して微調整が完了する。次に、ゾーンスイッチ１７の高さ位置選択ボタン１７ｂを何回か押して最下段（スイッチ表示１）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第１〜第４コントローラ４１〜４４は、現在の高さ位置を新たな下限位置としてメモリ４１ａ〜４４ａにそれぞれ上書きする、即ち第１〜第４遮蔽体１１〜１４下端の高さ位置（下限位置）に対応する第１〜第４ロータリエンコーダ３１ａ〜３４ａのパルス信号の数を、新たな第１〜第４遮蔽体１１〜１４下端の高さ位置のパルス信号の数としてメモリ４１ａ〜４４ａにそれぞれ上書きする。更に、第１〜第４コントローラ４１〜４４は、図６に示すように、第１〜第４遮蔽体１１〜１４を下限位置からα以上上昇させて（現在位置≧下限位置−α）、再び第１〜第４遮蔽体１１〜１４下端をメモリ４１ａ〜４４ａに上書きされた高さ位置に復帰させる（現在位置＝下限位置）。これにより現在の高さ位置が下限位置としてメモリ４１ａ〜４４ａに上書きされたことを目視により確認できる。
【００３８】
（２−３）  第１〜第４遮蔽体の下端の中間位置の微調整及び再設定手順
第１〜第４遮蔽体１１〜１４のうち遮蔽体下端の高さ位置が、例えば下から２段目の位置に全て達していない場合、第１〜第４遮蔽体１１〜１４の下端の下から２段目の位置の微調整及び再設定手順を図１１のフローチャート図に基づいて説明する。具体的には、上記『（１−３）  第１〜第４遮蔽体の下端の中間位置の初期設定手順』と略同じ手順で微調整及び再設定を行う。先ず、第１〜第４コントローラ４１〜４４のディップスイッチの第１〜第４スイッチ部を全てオフにして、第１〜第４コントローラ４１〜４４のコントローラアドレスを全て開始アドレス『０』に設定する。次いで、ゾーンスイッチ１７のＳＴＯＰボタン１７ｈをＴ秒間押し続けて、通常の操作モードからリミット操作モードに切換えた後に、ゾーンスイッチ１７のＣＬＯＳＥボタン１７ｇを押し、第１〜第４コントローラ４１〜４４により第１〜第４電動モータ３１〜３４を駆動して４枚の第１〜第４遮蔽体１１〜１４を全て下降させる。そして、中間位置のうち下から２段目の所望の位置に達したときにＳＴＯＰボタン１７ｈを押すと、第１〜第４遮蔽体１１〜１４はその位置に停止して微調整が完了する。次に、ゾーンスイッチ１７の高さ位置選択ボタン１７ｂを何回か押して下から２個目（スイッチ表示２）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第１〜第４コントローラ４１〜４４は、現在の高さ位置を新たな下から２段目の位置としてメモリ４１ａ〜４４ａにそれぞれ上書きする、即ち第１〜第４遮蔽体１１〜１４下端の高さ位置（下から２段目の位置）に対応する第１〜第４ロータリエンコーダ３１ａ〜３４ａのパルス信号の数を、新たな第１〜第４遮蔽体１１〜１４下端の高さ位置のパルス信号の数としてメモリ４１ａ〜４４ａにそれぞれ上書きする。第１〜第４遮蔽体の下端の中間位置（下から３〜１４段目）の設定も上記と同様にして設定できる。
【００３９】
（２−４）  第２遮蔽体の下端の下限位置の微調整及び再設定手順
第２窓７２の下方にはドア２７があるため、第２遮蔽体１２を第１、第３及び第４遮蔽体１１，１３，１４と同様に昇降すると、ドア２７が第２遮蔽体１２により覆われてしまう場合がある。第２遮蔽体１２の下端の高さ位置が下限位置に達するのが１０段目であるとすると、第２遮蔽体１２の下端の高さ位置が１段目〜９段目である場合、全て下限位置の１０段目と同一に再設定する必要がある。具体的には、先ず、第１コントローラ４１のディップスイッチの第１スイッチ部をオンにして第２〜第４スイッチ部をオフにすることにより、第１コントローラ４１のコントローラアドレスを『１』に設定し、第２コントローラ４２のディップスイッチの第２スイッチ部をオンにして第１、第３及び第４スイッチ部をオフにすることにより、第２コントローラ４２のコントローラアドレスを『２』に設定する。また、第３コントローラ４３のディップスイッチの第１及び第２スイッチ部をオンにして第３及び第４スイッチ部をオフにすることにより、第３コントローラ４３のコントローラアドレスを『３』に設定し、第４コントローラ４４のディップスイッチの第３スイッチ部をオンにして第１、第２及び第４スイッチ部をオフにすることにより、第４コントローラ４４のコントローラアドレスを『４』に設定する。次いで、ゾーンスイッチ１７のＳＴＯＰボタン１７ｈをＴ秒間押し続けて、通常の操作モードからリミット操作モードに切換えた後に、ゾーンスイッチ１７のＯＰＥＮボタン１７１７ｆを押し、第２コントローラ４２により第２電動モータ３２を駆動して第２遮蔽体１２を上昇させる。そして、第２遮蔽体１２の下端の位置が所望の下限位置、即ちドアを覆わない位置に達したときにＳＴＯＰボタン１７ｈを押すと、第２遮蔽体１２はその位置に停止して微調整が完了する。次に、ゾーンスイッチ１７の高さ位置選択ボタン１７ｂを何回か押して最下段（スイッチ表示１）の高さ選択用ＬＥＤ１７ｃを点灯させる。そして、ゾーンスイッチ１７のＳＴＯＰボタン１７ｈをＸ回間欠的に押した後に、ＯＰＥＮボタン１７ｆ又はＣＬＯＳＥボタン１７ｇのいずれかをＹ回間欠的に押す。この操作により、第２コントローラ４２は、現在の高さ位置を新たな下限位置としてメモリ４２ａに上書きする、即ち第２遮蔽体１２下端の高さ位置（下限位置）に対応する第２ロータリエンコーダ３２ａのパルス信号の数を、新たな第２遮蔽体１２下端の高さ位置のパルス信号の数としてメモリ４２ａに上書きする。更に、第２コントローラ４２は、図６に示すように、第２遮蔽体１２を下限位置からα以上上昇させて（現在位置≧下限位置−α）、再び第２遮蔽体１２下端をメモリ４２ａに上書きされた高さ位置に復帰させる（現在位置＝下限位置）。これにより現在の高さ位置が下限位置としてメモリ４２ａに上書きされたことを目視により確認できる。なお、第２遮蔽体１２の下端の高さ位置が２段目〜９段目である場合、上記下限位置より低い位置になるため、第２コントローラ４２は、第２遮蔽体１２の下端の高さ位置が２段目〜９段目であるときを下限位置と同一の値をメモリ４２ａに記憶する。
【００４０】
（３）  通常の操作
予め、マルチゾーンスイッチ１８のＳＴＯＰボタン１８ｆをＳ回間欠的に押して、リミット操作モードから通常の操作モードに切換えておく。第１〜第４遮蔽体１１〜１４全てを全開状態にする場合には、先ず、第１〜第４遮蔽体１１〜１４全てをマルチゾーンスイッチ１８のゾーン選定ボタン１８ｂにより選定する。次に、ゾーンスイッチ１７の高さ位置選択ボタン１７ｂの上向きボタン１７ｄを何回か押して最上段（スイッチ表示１５）の高さ選択用ＬＥＤ１７ｃを点灯させる。これによりコントローラ４１〜４４は第１〜第４電動モータ３１〜３４を制御して、第１〜第４遮蔽体１１〜１４の下端の高さ位置が上限位置に達するまで第１〜第４遮蔽体１１〜１４を上昇させる（図１）。この状態から第１〜第４遮蔽体１１〜１４の下端の高さ位置を１２段目の高さ位置にする場合には、ゾーンスイッチ１７の高さ位置選択ボタン１７ｂの下向きボタン１７ａを３回押して１２段目（スイッチ表示１２）の高さ選択用ＬＥＤ１７ｃを点灯させる。これによりコントローラ４１〜４４は第１〜第４電動モータ３１〜３４を制御して、第１〜第４遮蔽体１１〜１４の下端の高さ位置が１２段目の高さ位置に達するまで第１〜第４遮蔽体１１〜１４を下降させる（図２）。
【００４１】
この状態から第１〜第４遮蔽体１１〜１４の下端の高さ位置を６段目の高さ位置にする場合には、ゾーンスイッチ１７の高さ位置選択ボタン１７ｂの下向きボタン１７ａを６回押して６段目（スイッチ表示６）の高さ選択用ＬＥＤ１７ｃを点灯させる。これによりコントローラ４１〜４４は第１〜第４電動モータ３１〜３４を制御して、第１〜第４遮蔽体１１〜１４の下端の高さ位置が６段目の高さ位置に達するまで第１〜第４遮蔽体１１〜１４を下降させる（図３）。このとき第２遮蔽体１２下端の高さ位置は１０段目に停止した状態、即ち第２窓７２を全て閉止した状態に保たれる。この状態から第１〜第４遮蔽体１１〜１４の下端の高さ位置を下限位置にする場合には、ゾーンスイッチ１７の高さ位置選択ボタン１７ｂの下向きボタン１７ａを５回押して下限位置（スイッチ表示１）の高さ選択用ＬＥＤ１７ｃを点灯させる。これによりコントローラ４１〜４４は第１〜第４電動モータ３１〜３４を制御して、第１〜第４遮蔽体１１〜１４の下端の高さ位置が下限位置に達するまで第１〜第４遮蔽体１１〜１４を下降させる（図４）。このとき第２遮蔽体１２下端の高さ位置は１０段目に停止した状態、即ち第２窓７２を全て閉止した状態に保たれる。
【００４２】
個別に遮蔽体を昇降させる場合、例えば第１遮蔽体１１を上昇させて全閉状態から全開状態にする場合には、先ず、第１遮蔽体１１をマルチゾーンスイッチ１８のゾーン選定ボタン１８ｂにより選定する。次に、ゾーンスイッチ１７の高さ位置選択ボタン１７ｂの上向きボタン１７ｄを１４回押して最上段（スイッチ表示１５）の高さ選択用ＬＥＤ１７ｃを点灯させる。これによりコントローラ４１〜４４は第１電動モータ３１を制御して、第１遮蔽体１１の下端の高さ位置が上限位置に達するまで第１遮蔽体１１を上昇させる。
【００４３】
なお、上記実施の形態では、電動日射遮蔽装置としてロールスクリーンを挙げたが、電動ローマンシェード、電動プリーツスクリーン、電動横型ブラインド等の電動日射遮蔽装置でもよい。電動日射遮蔽装置が電動ローマンシェード又は電動プリーツスクリーンである場合、保持部材が、天井、窓枠又は壁面に取付けられるヘッドレールと、このヘッドレールに上端が取付けられた遮蔽体と、一端がヘッドレールから垂下されて遮蔽体下端に連結された昇降コードとを有し、電動モータがヘッドレール内に設けられ、電動モータが昇降コードの他端を繰出し可能に巻取ることにより、遮蔽体が畳上げ可能に展開されて昇降するように構成される。また、電動日射遮蔽装置が電動横型ブラインドである場合、保持部材が、天井、窓枠又は壁面に取付けられるヘッドレールと、このヘッドレールの長手方向及び前後方向にそれぞれ間隔をあけてヘッドレールから垂下された複数のラダーコードと、これらのラダーコード間に鉛直方向に所定の間隔をあけて配設され水平方向に延びる複数のスラットと、複数のスラットのうち最下段のスラットの下方に水平方向に延びて設けられ複数のラダーコードの下端が連結されたボトムレールと、ヘッドレール内にチルト昇降切換機構を介して配索され一端がヘッドレールから垂下されてボトムレールに連結された昇降コードとを有し、電動モータがヘッドレール内に設けられ、電動モータが昇降コードの他端を繰出し可能に巻取ることにより、複数のスラットが畳上げ可能に展開されて昇降するように構成される。
【００４４】
また、この実施の形態では、単一の保持部材と単一の電動モータとを有するゾーンを４つ設けたが、単一の保持部材と単一の電動モータとを有するゾーンを１つ、２つ、３つ又は５つ以上設けてもよい。また、この実施の形態では、保持部材の支持バーを窓枠に取付けたが、保持部材の支持バーを天井又は壁に取付けてもよい。また、上記実施の形態では、昇降ボタンと高さ位置選択ボタンと高さ位置表示部とを有するゾーンスイッチと、昇降ボタンとゾーン選定ボタンとゾーン選定表示部とを有するマルチゾーンスイッチとにより操作スイッチを構成したが、昇降ボタンと高さ位置選択ボタンとゾーン選定ボタンと高さ位置表示部とゾーン選定表示部とを有する単一の操作スイッチにより操作スイッチを構成してもよい。更に、この実施の形態では、高さ位置選択ボタンで選択可能な遮蔽体下端の高さ位置の段数を１５段に設定したが、高さ位置選択ボタンで選択可能な遮蔽体下端の高さ位置の段数を２〜１４段又は１６段以上に設定してもよい。
【符号の説明】
【００４５】
１１〜１４  遮蔽体
１６  操作スイッチ
１７  ゾーンスイッチ
１７ａ，１８ａ  昇降ボタン
１７ｂ  高さ位置選択ボタン
１７ｃ  高さ選択用ＬＥＤ（高さ位置表示部）
１８  マルチゾーンスイッチ
１８ｂ  ゾーン選定ボタン
１８ｃ  ゾーン選定用ＬＥＤ（ゾーン選定表示部）
２１〜２４  保持部材
２１ａ〜２４ａ  巻取ローラ
３１〜３４  電動モータ
３１ａ〜３４ａ  ロータリエンコーダ
４１〜４４  第１〜第４コントローラ
４１ａ〜４４ａ  メモリ
５１〜５４  窓枠
６１〜６４  ゾーン
【図１】
0006704776.tif 000002
【図２】
0006704776.tif 000003
【図３】
0006704776.tif 000004
【図４】
0006704776.tif 000005
【図５】
0006704776.tif 000006
【図６】
0006704776.tif 000007
【図７】
0006704776.tif 000008
【図８】
0006704776.tif 000009
【図９】
0006704776.tif 000010
【図１０】
0006704776.tif 000011
【図１１】
0006704776.tif 000012